(57)【要約】  本願は、中性子ビームを生成する中性子生成装置と、被照射体に中性子ビームを照射する照射室と、前記照射室内に収容されて被照射体を載置する載置台とが設けられている中性子捕捉療法システムを提供する。前記載置台は、患者を載置する載置部品と、載置部品の空間位置を調節する調節装置と、調節装置と載置部品との間に接続された駆動ロッドと、調節装置を被覆する第１のシールド部品とを備え、前記第１のシールド部品によって前記調節装置が放射線に照射されることが回避される。前記調節装置は、駆動ロッドを移動させるように駆動することにより載置部品の空間位置を調節し、前記第１のシールド部品には、駆動ロッドの移動に逃げ空間を与える通し溝が設けられている。調節装置がほぼ密封された第１のシールド部品内に設けられているため、中性子、ガンマ線による放射線傷害を大幅に減少させ、調節装置の耐用年数を延長する。
2021519677.tif 000002
【特許請求の範囲】
【請求項１】
中性子ビームを生成する中性子生成装置と、被照射体に中性子ビームを照射するための照射室と、前記照射室内に収容されて被照射体を載置するための載置台とが設けられ、前記中性子生成装置は、中性子ビームを生成する中性子ビーム生成部と、中性子ビームを熱外中性子エネルギー領域に減速させる減速体と、逸脱した中性子を減速体に導く反射体とを備え、前記載置台は、患者を載置するための載置部品と、載置部品の空間位置を調節するための調節装置と、調節装置と載置部品との間に接続された駆動ロッドと、調節装置を被覆する第１のシールド部品とを備え、前記第１のシールド部品によって前記調節装置が放射線に照射されることが回避され、前記調節装置は、駆動ロッドを移動させるように駆動することにより載置部品の空間位置を調節し、前記第１のシールド部品には、駆動ロッドの移動に逃げ空間を与える通し溝が設けられている、ことを特徴とする中性子捕捉療法システム。
【請求項２】
前記載置台は、前記第１のシールド部品の通し溝と前記調節装置との間に位置する第２のシールド部品をさらに備え、前記駆動ロッドは前記第２のシールド部品を通し溝内に移動させるように駆動し、前記第２のシールド部品によって前記調節装置が放射線に照射されることが回避される、ことを特徴とする請求項１に記載の中性子捕捉療法システム。
【請求項３】
前記第２のシールド部品は円弧状又は平板状である、ことを特徴とする請求項２に記載の中性子捕捉療法システム。
【請求項４】
前記第１のシールド部品は、中空の球体又は多面体であり、本体部を備え、通し溝が本体部の前記載置部品に近い側に設けられ、駆動ロッドは前記通し溝を貫通して前記第２のシールド部品及び前記調節装置に順に接続されている、ことを特徴とする請求項２に記載の中性子捕捉療法システム。
【請求項５】
前記駆動ロッドが第２のシールド部品を前記通し溝の任意の位置に移動させるように駆動するときに、地面に平行な平面における通し溝の投影の境界は、地面に平行な平面における第２のシールド部品の投影の境界内に位置する、ことを特徴とする請求項２に記載の中性子捕捉療法システム。
【請求項６】
前記駆動ロッドの外面にシールド膜がめっきされている、ことを特徴とする請求項１に記載の中性子捕捉療法システム。
【請求項７】
前記駆動ロッドの外面にシールドスリーブが取り付けられている、ことを特徴とする請求項１に記載の中性子捕捉療法システム。
【請求項８】
患者を載置するための載置部品と、載置部品の空間位置を調節するための調節装置と、調節装置と載置部品との間に接続された駆動ロッドと、調節装置を被覆する第１のシールド部品とを備え、前記第１のシールド部品によって前記調節装置が放射線に照射されることが回避され、前記調節装置は、駆動ロッドを移動させるように駆動することにより載置部品の空間位置を調節し、前記第１のシールド部品には、駆動ロッドの移動に逃げ空間を与える通し溝が設けられている、ことを特徴とする載置台。
【請求項９】
前記第１のシールド部品は中空の球体又は多面体である、ことを特徴とする請求項８に記載の載置台。
【請求項１０】
前記第１のシールド部品は、本体部を備え、通し溝が本体部の載置部品に近い側に設けられ、駆動ロッドは通し溝を貫通して前記調節装置に接続されている、ことを特徴とする請求項８に記載の載置台。
【請求項１１】
第１のシールド部品の通し溝と前記調節装置との間に位置する第２のシールド部品をさらに備える、ことを特徴とする請求項８に記載の載置台。
【請求項１２】
前記第２のシールド部品は円弧状又は平板状である、ことを特徴とする請求項１１に記載の載置台。
【請求項１３】
前記駆動ロッドが前記第２のシールド部品を任意の位置に移動させるように駆動するときに、地面に平行な平面における前記通し溝の投影の境界は、地面に平行な平面における前記第２のシールド部品の投影の境界内に位置する、ことを特徴とする請求項１１に記載の載置台。
【請求項１４】
前記駆動ロッドの外面にシールド膜がめっきされている、ことを特徴とする請求項８に記載の載置台。
【請求項１５】
前記駆動ロッドの外面にシールドスリーブが取り付けられている、ことを特徴とする請求項８に記載の載置台。
【発明の詳細な説明】
【技術分野】
【０００１】
本発明は、放射線照射システムに関し、特に中性子捕捉療法システム及び載置台に関する。
【背景技術】
【０００２】
原子科学の発展に従って、コバルト６０、線形加速器、電子ビーム等の放射線療法は、すでにがん治療の主な手段の一つとなった。しかし、従来の光子又は電子療法は、放射線そのものの物理的条件の制限で腫瘍細胞を殺すとともに、ビーム経路上の数多くの正常組織に損傷を与える。また、腫瘍細胞により放射線に対する感受性の度合いが異なっており、従来の放射線療法では、放射線耐性の高い悪性腫瘍（例えば、多形神経膠芽腫（ｇｌｉｏｂｌａｓｔｏｍａ  ｍｕｌｔｉｆｏｒｍｅ）、黒色腫（ｍｅｌａｎｏｍａ））に対する治療効果が良くない。
【０００３】
腫瘍の周囲の正常組織の放射線損傷を軽減するすために、化学療法（ｃｈｅｍｏｔｈｅｒａｐｙ）における標的療法が、放射線療法に用いられている。また、放射線耐性の高い腫瘍細胞に対し、現在では生物学的効果比（ｒｅｌａｔｉｖｅ  ｂｉｏｌｏｇｉｃａｌ  ｅｆｆｅｃｔｉｖｅｎｅｓｓ、ＲＢＥ）の高い放射線源が積極的に開発されている（例えば、陽子線治療、重粒子治療、中性子捕捉療法等）。このうち、中性子捕捉療法は、上記の２つの構想を結びつけたものである。例えば、ホウ素中性子捕捉療法では、ホウ素含有薬物が腫瘍細胞に特異的に集まり、高精度な中性子ビームの制御と合わせることで、従来の放射線と比べて、より良いがん治療オプションを提供する。
【０００４】
中性子捕捉療法システムは、中性子ビーム生成部、中性子ビーム減速装置、コリメータ、照射室、準備室、及び患者を載置する載置台を備える。通常、減速装置は、照射室の壁内に埋設され、コリメータは、減速装置の前端に固定的に設けられるか又は載置台に設けられ、照射を実施する前に、患者の照射されるべき部位をコリメータ及び中性子ビーム生成部と位置合わせするように載置台上の患者を載置するための載置部品に空間位置調整を行う必要がある。載置部品に空間位置調整を行うための調整装置は、強度を保証するために、通常、金属材料で製造される。患者に中性子ビーム照射を実施する過程において、調整装置は、常に放射線量が高い中性子ビーム、γ線等の放射線に露出されるため、活性化されやすくて載置台の耐用年数を早く過ぎることになる。
【発明の概要】
【０００５】
上記問題を解決するために、本願の一態様に係る中性子捕捉療法システムは、中性子ビームを生成する中性子生成装置と、被照射体に中性子ビームを照射するための照射室と、前記照射室内に収容されて被照射体を載置するための載置台とが設けられ、前記中性子生成装置は、中性子ビームを生成する中性子ビーム生成部と、中性子ビームを熱外中性子エネルギー領域に減速させる減速体と、逸脱した中性子を減速体に導く反射体とを備え、前記載置台は、患者を載置するための載置部品と、載置部品の空間位置を調節するための調節装置と、調節装置と載置部品との間に接続された駆動ロッドと、調節装置を被覆する第１のシールド部品とを備え、前記第１のシールド部品によって前記調節装置が放射線に照射されることが回避され、前記調節装置は、駆動ロッドを移動させるように駆動することにより載置部品の空間位置を調節し、前記第１のシールド部品には、駆動ロッドの移動に逃げ空間を与える通し溝が設けられている。
【０００６】
さらに、前記中性子生成装置は、治療時に浅層正常組織と余計な用量を引き起こすことを避けるために、熱中性子を吸収するための熱中性子吸収体と、非照射領域の正常組織に対する線量を減らすために、しみ出る中性子及び光子をシールドするための放射シールド体とをさらに備える。
【０００７】
さらに、前記載置台は、前記第１のシールド部品の通し溝と前記調節装置との間に位置する第２のシールド部品をさらに備え、前記駆動ロッドは前記第２のシールド部品を通し溝内に移動させるように駆動し、前記第２のシールド部品によって前記調節装置が放射線に照射されることが回避される。
【０００８】
好ましくは、前記第１のシールド部品は、中空の球体又は多面体であり、本体部を備え、通し溝が本体部の前記載置部品に近い側に設けられ、駆動ロッドは前記通し溝を貫通して前記第２のシールド部品及び前記調節装置に順に接続されている。
【０００９】
好ましくは、前記駆動ロッドが第２のシールド部品を前記通し溝の任意の位置に移動させるように駆動するときに、地面に平行な平面における通し溝の投影の境界は、地面に平行な平面における第２のシールド部品の投影の境界内に位置する。
【００１０】
本願の別の態様に係る載置台は、患者を載置するための載置部品と、載置部品の空間位置を調節するための調節装置と、調節装置と載置部品との間に接続された駆動ロッドと、調節装置を被覆する第１のシールド部品とを備え、前記第１のシールド部品によって前記調節装置が放射線に照射されることが回避され、前記調節装置は、駆動ロッドを移動させるように駆動することにより載置部品の空間位置を調節し、前記第１のシールド部品には、駆動ロッドの移動に逃げ空間を与える通し溝が設けられている。
【００１１】
好ましくは、前記第１のシールド部品は中空の球体又は多面体である。
【００１２】
さらに、前記第１のシールド部品は、本体部を備え、通し溝が本体部の載置部品に近い側に設けられ、駆動ロッドは通し溝を貫通して前記調節装置に接続されている。
【００１３】
さらに、前記載置台は、第１のシールド部品の通し溝と前記調節装置との間に位置する第２のシールド部品をさらに備える。
【００１４】
好ましくは、前記第２のシールド部品は円弧状又は平板状である。
【００１５】
好ましくは、前記駆動ロッドが前記第２のシールド部品を任意の位置に移動させるように駆動するときに、地面に平行な平面における前記通し溝の投影の境界は、地面に平行な平面における前記第２のシールド部品の投影の境界内に位置する。
【発明の効果】
【００１６】
従来の技術に比べて、本実施例に記載の技術手段は、調節装置がほぼ密封された第１のシールド部品内に設けられているため、中性子、ガンマ線による放射線傷害を大幅に減少させ、調節装置の耐用年数を延長するという有益な効果を有する。
【図面の簡単な説明】
【００１７】
【図１】本願に係る中性子捕捉療法システムの上面図である。
【図２】本願に係る中性子捕捉療法システムの実施例１の載置台の断面図であり、駆動ロッドが通し溝の第１の端点に位置する。
【図３】本願に係る中性子捕捉療法システムの実施例１の載置台の、台座部、載置部品、駆動部及び調節装置を除いた上面図であり、駆動ロッドが通し溝の第３の端点に位置する。
【図４】本願に係る中性子捕捉療法システムの実施例２の載置台の断面図であり、駆動ロッドが通し溝の第２の端点に位置する。
【図５】本願に係る中性子捕捉療法システムの実施例２の載置台の、台座部、載置部品、駆動部及び調節装置を除いた上面図であり、駆動ロッドが通し溝の第４の端点に位置する。
【発明を実施するための形態】
【００１８】
中性子捕捉療法は、がん治療の有効な手段として、近年の応用が増えてきており、ホウ素中性子捕捉療法は最も一般的であり、ホウ素中性子捕捉療法に用いられる中性子は、原子炉又は加速器から供給することができる。本願の実施例は、加速器のホウ素中性子捕捉療法を例とする。
【００１９】
以下、図面を参照しながら本発明の実施形態を詳細に説明する。また、以下の説明において、同一又は相当部分に同一符号を付して説明を省略する。そして、後述する中性子ビームＮの出射方向をＸ軸、中性子ビームＮの出射方向と直交する方向をＹ軸、地面に垂直な方向をＺ軸とするＸＹＺ座標（図２を参照）を設定すると共に、Ｘ軸とＹ軸からなる平面を第１の平面として定義し、第１の平面が地面に平行であり、各構成要素の位置関係の説明においてＸ軸、Ｙ軸及びＺ軸が用いられる。
【００２０】
「上」、「下」、「左」、「右」、「前」及び「後」等の空間に関連する用語は、一方の要素と他方の要素との関係の説明を簡単にし、図に示すように、前後方向がＹ軸に平行で、上下方向がＺ軸に平行で、左右方向がＸ軸に平行であると定義されている。
【００２１】
図１に示すように、中性子捕捉療法システム１は、治療用中性子ビームＮを生成するための中性子生成装置２と、被照射体、例えば、患者に中性子ビームＮを照射するための照射室３と、照射前の準備作業を行うための準備室４と、照射制御を実施するための管理室５と、患者を載置して照射室３に出入りするための載置台６とを備える。
【００２２】
中性子生成装置２は、照射室３の外部に中性子ビームＮを生成すると共に患者に中性子ビームＮを照射するように構成される。中性子生成装置２は、帯電粒子ビームを加速させるためのサイクロトロン２１と、帯電粒子ビームと反応して中性子ビームＮを生成する中性子ビーム生成部２３と、サイクロトロン２１と中性子ビーム生成部２３との間に位置して帯電粒子ビームを輸送するための帯電粒子ビーム輸送部２２とを含む。中性子生成装置２の周りは、コンクリート製の遮蔽壁Ｗ１に囲まれる。帯電粒子ビーム輸送部２２は、中性子ビーム生成部２３に帯電粒子ビームを輸送し、その一端がサイクロトロン２１に接続され、他端が中性子ビーム生成部２３に接続されている。他の実施例では、サイクロトロンの代わりに他の加速器を用いてよい。実際の必要に応じて、帯電粒子ビーム輸送部２２にビーム調整部、電流モニター、帯電粒子走査部等のビーム制御装置を設けてよい。ビーム調整部は、帯電粒子ビームの進行方向及びビーム径を制御する。電流モニターは、帯電粒子ビームの電流値（即ち、電荷、照射線量率）をリアルタイムに測定する。帯電粒子ビーム走査部は、帯電粒子ビームを走査すると共に、帯電粒子ビームの中性子ビーム生成部２３に対する照射位置を制御する。中性子ビーム生成部２３は、帯電粒子ビームと反応して中性子ビームＮを生成するターゲットＴと、生成された中性子ビームＮを減速させ、遮蔽するビーム整形体２４とを含む。中性子ビーム生成部２３で生成された中性子ビームＮは、高速中性子ビーム、熱外中性子ビーム、熱中性子ビーム及びガンマ線を含み、熱外中性子エネルギー領域が０．５ｅＶ〜４０ｋｅＶであり、熱中性子エネルギー領域が０．５ｅＶ未満であり、高速中性子エネルギー領域が４０ｋｅＶを超える。具体的には、ビーム整形体２４は、ターゲットＴにより生成された中性子ビームＮを熱外中性子エネルギー領域に減速させる減速体２４１と、逸脱した中性子を減速体２４１に導いて熱外中性子ビーム強度を向上させる反射体２４２と、治療時に浅層正常組織と余計な用量を引き起こすことを避けるために、熱中性子を吸収するための熱中性子吸収体と、非照射領域の正常組織に対する線量を減らすために、しみ出る中性子及び光子をシールドするための放射シールド体とを含む。好ましい実施例として、ターゲットＴは、リチウム金属で作製され、通常、リチウム（Ｌｉ）ターゲットとベリリウム（Ｂｅ）ターゲットであり、帯電粒子ビームは、ターゲットＴの原子核クーロン斥力を克服できるエネルギーまでに加速され、ターゲットＴと７Ｌｉ（ｐ，ｎ）７Ｂｅ核反応が発生して中性子ビームを生成する。主に、熱外中性子ビームと患者体内の腫瘍に入るホウ素は核反応が発生して治療効果を発揮する。ターゲットＴは、遮蔽壁Ｗ１の外部に設けられ、ビーム整形体２４は中性子ビームＮの進行方向に沿って遮蔽壁Ｗ１内に埋設される。
【００２３】
引き続き、図１を参照すると、照射室３は、遮蔽壁Ｗ２と、遮蔽壁Ｗ２に設けられて患者が出入りする出入口３５と、出入口３５を開閉する遮蔽ドアＤ１とを含み、患者は照射室３内に送り込まれて中性子ビームＮの照射を受けて治療を行う。中性子生成装置２に近い遮蔽壁Ｗ２には、中性子ビームＮが射出される円錐状コリメータ３６が設けられ、中性子ビームＮはコリメータ３６から射出されて１本の中性子ビーム軸Ｘ１を画定している。他の実施例では、コリメータ３６は、円柱状、長方体状等の他の形状に構成されてよい。準備室４は、患者Ｓに中性子ビームＮを照射する前に必要な準備作業を実施するための部屋であり、準備作業は、患者を載置台６に固定することと、患者を位置決めすると共に３次元位置決めマークをつけることとなどを含む。本願の実施例では、準備室４は照射室３の左側に設けられる。他の実施例では、準備室４は照射室３の任意の方位に設けられてよい。準備室４には、患者が照射室３に出入りする入出口４１と、入出口４１を開閉するドア４２とが設けられる。準備室４の入出口４１と照射室３の出入口３５との間に患者が準備室４から照射室３に入る通路４９が設けられる。準備室４、照射室３及び通路４９内に載置台を移動させるガイドレール（図示せず）が設けられる。
【００２４】
管理室５は、中性子捕捉療法システム１を用いて実施される工程全体を管理するための部屋である。例えば、管理者は、管理室５の室内で準備室４中の準備作業の状況を肉眼で確認し、制御装置を操作して中性子ビームＮの照射の開始や停止等を制御する。
【００２５】
図２に示すように、載置台６は、台座部６１と、地面上で台座部６１を移動させるための駆動部６２と、患者を載置するための載置部品６３と、載置部品６３の空間位置を調節するための調節装置６４と、調節装置６４と載置部品６３との間に接続された駆動ロッド６５と、調節装置６４を被覆する第１のシールド部品６６と、第１のシールド部品６６内に位置する第２のシールド部品６８とを含む。
【００２６】
台座部６１は、第１のシールド部品６６、第２のシールド部品６８、調節装置６４、駆動ロッド６５及び載置部品６３を支持し、地面に向かう下面６１１と、下面に対向する上面６１２とを有する。本願では、台座部６１の全体的形状は、長方体形状であり、他の実施形態では、円柱状又は他の形状に構成されてよい。駆動部６２は、下面６１１に取り付けられ、台座部６１、第１のシールド部品６６、第２のシールド部品６８、調節装置６４、駆動ロッド６５及び載置部品６３を支持すると共に、地面上で所定の軌道に沿って移動することができる。好ましくは、駆動部６２は４つの車輪であり、これらの車輪は人力又はモータ等により駆動部６２に地面上で移動する駆動力を与えることができる。本願では、載置台６は、照射室３と準備室４内のガイドレールに沿って移動することができる。他の実施形態では、台座部６１を省いて、駆動部６２を第１のシールド部品６６に設けてよい。
【００２７】
載置部品６３は、患者を載置し、平板状に構成されてもよく、椅子形状等の、患者を支持するのに適した形状に構成されてもよい。
【００２８】
駆動ロッド６５の一端は載置部品６３に固定的に接続され、他端は調節装置６４に接続されている。本願の調節装置６４は、リンク機構、歯車機構等の、駆動ロッド６５をＸ軸、Ｙ軸、Ｚ軸の方向に沿って移動させるように駆動することができると共に、駆動ロッド６５をＸ軸、Ｙ軸、Ｚ軸を中心に回転するように駆動することができる任意の一般的な駆動機構又は複数種の駆動機構の組み合わせであってよく、調節装置６４は人力駆動であってもよく、電動又はエア駆動であってもよい。調節装置６４の主な材料は金属であり、第１、第２のシールド部品６６、６８は調節装置６４の周囲を被覆することにより調節装置６４が活性化されることを防止する。第１、第２のシールド部品６６、６８は、中性子及びガンマ線を遮蔽できる鉛、ホウ素、チタン粉末、アルミニウム粉末、炭化ホウ素等の材料のうちの１種または多種で作製される。
【００２９】
駆動ロッド６５は、伸縮可能なロッドであり、駆動ロッド６５を伸縮させることによりＺ軸方向における載置部品６３の位置を調節することができ、もちろん、伸縮可能なロッドとせず、調節装置６４のみによりＺ軸方向における載置部品６３の位置を調節することもできる。駆動ロッド６５の外面にシールド膜がめっきされているか又はシールドスリーブ６５０が取り付けられていることにより、駆動ロッド６５は中性子、ガンマ線の放射から保護され、シールドスリーブ６５０は伸縮可能なねじスリーブとされてよい。なお、駆動ロッド６５は載置部品６３と調節装置６４の間の連動部品に過ぎず、調節装置６４の出力端であってもよく、調節装置６４と相互に独立して、別途設けられたロッドであってもよい。
【００３０】
図２及び図３に示すように、具体的には、第１のシールド部品６６は、台座部６１の上面６１２に支持され、球状の本体部６６０と、本体部６６０の載置部品６３に近い側に設けられて駆動ロッド６５の移動に逃げ空間を与える通し溝６６２とを含み、調節装置６４は、第１のシールド部品６６の本体部６６０内に設けられ、駆動ロッド６５は下向きに通し溝６６２を貫通した後に第２のシールド部品６８及び調節装置６４に順に固定的に接続され、接続方式はねじ込み接続、ボルト接続、スナップ接続等の一般的な接続方式のうちのいずれか１種であってよい。本体部６６０は、中空の球体であり、通し溝６６２は、Ｚ軸方向に沿って本体部６６０の上半部を貫通して形成された通し溝であり、本実施例では、通し溝６６２は相互に交差し貫通する溝であり、Ｘ軸に平行な第１の通し溝６６４と、Ｙ軸に平行な第２の通し溝６６５とを含み、第１、第２の通し溝６６４、６６５は相互に交差し貫通し、第１の平面におけるそれらの投影は十字形をなす。Ｘ軸に平行な方向における通し溝６６２の最大寸法が第１の寸法であり、Ｙ軸に平行な方向における最大寸法が第２の寸法であると定義し、第１、第２の寸法の値は、実際の使用要求に応じて決められ、等しくても等しくなくてもよい。他の実施例では、通し溝６６２は、完全な円形の溝又は完全な方形の溝であってもよく、不規則形状の溝であってもよい。通し溝６６２は、最左端に位置する第１の端点６６４１と、最右端に位置する第２の端点６６４２と、最後端に位置する第３の端点６６５１と、最前端に位置する第４の端点６６５２とを含む。第１のシールド部品６６には、駆動ロッド６５を移動させる通し溝６６２しか設けられず、ほぼ密封された空間となるため、第１のシールド部品６６内に設けられた調節装置６４が受ける中性子及びガンマ線の放射量は少なく、調節装置６４が活性化される速度を大幅に低減する。駆動ロッド６５は調節装置６４により載置部品６３を通し溝６６２内に移動させるように駆動することにより、載置部品６３はＸ軸、Ｙ軸、Ｚ軸方向に沿って位置を自由に調節することができる。また、調節装置６４は、さらに駆動ロッド６５を駆動して載置部品６３をＸ軸、Ｙ軸、Ｚ軸を中心に回転するように駆動することができる。他の実施形態では、第１のシールド部品６６は、中空の長方体、中空の立方体、中空の角柱等の中空の多面体に構成されてよく、調節装置６４を収容でき、かつ第２のシールド部品６８と組み合わせて良好な遮蔽効果を達成できるすべての形状は、適用可能である。容易に理解できるように、第１のシールド部品６６は、調節装置６４の第１のシールド部品６６への取り付けを容易にするために開閉可能である。
【００３１】
図２、図３に示すように、Ｚ軸方向において、第２のシールド部品６８は第１のシールド部品６６の通し溝６６２と調節装置６４との間に位置する。第２のシールド部品６８は、第１のシールド部品６６の通し溝６６２から第１のシールド部品６６内部に入る少量の中性子及びガンマ線を遮蔽する。実施例１では、第２のシールド部品６８は円弧状の薄板であり、第１の平面における第２のシールド部品６８の投影は円形であり、第２のシールド部品６８が第１のシールド部品６６の通し溝６６２から第１のシールド部品６６内部に入る少量の中性子及びガンマ線を最大限に遮蔽できることを保証するために、駆動ロッド６５が第２のシールド部品６８を任意の位置に移動させるように駆動するときに、第１の平面における通し溝６６２の投影の境界は第１の平面における第２のシールド部品６８の投影の境界内に位置する。
【００３２】
図４、図５に示すように、実施例２では、第２のシールド部品６８’は平板状であり、第１の平面における第２のシールド部品６８’の投影は方形であり、第２のシールド部品６８’が第１のシールド部品６６の通し溝６６２から第１のシールド部品６６内部に入る少量の中性子及びガンマ線を最大限に遮蔽できることを保証するために、駆動ロッド６５が第２のシールド部品６８’を任意の位置に移動させるように駆動するときに、第１の平面における通し溝６６２の投影の境界は第１の平面における第２のシールド部品６８の投影の境界内に位置する。さらに、該平板状の第２のシールド部品６８’を弾性板又は伸縮可能な板に作製することにより、第２のシールド部品６８、６８’の縁部を第１のシールド部品６６にできるだけ近づける。もちろん、第２のシールド部品６８、６８’は、この２種類の形状に限定されず、製造しやすく、取り付けやすくて良好な遮蔽効果を達成できる他の任意の形状であってよい。実施例２は、実施例１に比べて、「第２のシールド部品６８、６８’の形状が異なる」という点しか相違しないため、他の構成要素についてはここで説明を省略する。
【００３３】
調節装置６４は、ほぼ密封された第１のシールド部品６６内に設けられて、中性子、ガンマ線による放射線傷害を大幅に減少させ、また、第２のシールド部品６８は、第１のシールド部品６６の通し溝６６２から入る少量の中性子、ガンマ線をさらに遮蔽することにより、調節装置６４が受ける放射量をほぼ無視でき、調節装置６４の耐用年数を大幅に延長する。
【００３４】
本願に開示される中性子捕捉療法システム及び載置台は、以上の実施例に記載の内容及び図面に示す構造に限定されない。例えば、減速体は、円柱体に構成されてよく、冷却装置は、幾つか設けられてよく、それに応じて収容配管は、幾つか設けられてもよい。本願に基づいて、構成要素の材料、形状及び位置に対する明らかな変更、代替又は修正は、いずれも本願の特許請求の範囲内にある。
【図１】
2021519677.tif 000003
【図２】
2021519677.tif 000004
【図３】
2021519677.tif 000005
【図４】
2021519677.tif 000006
【図５】
2021519677.tif 000007
【国際調査報告】
2021519677.tif 000008
2021519677.tif 000009
2021519677.tif 000010
2021519677.tif 000011